(57)【要約】【課題】人間及び動物は、水と空気と食糧は必須であるが、大気汚染や土壌汚染など複合的な環境汚染も含め、延命技術は進歩しても体調良好で過ごすことができずに、人間や動物がさまざまな疾病を発症させ病気治療に、年々膨大な医療費負担が拡大しているのである。【解決手段】本発明の空気の酸化還元電位を計測する装置によって化学薬品で汚染されているシックハウスやオフィスビル内、二酸化炭素（ＣＯ２）を排出する自動車走行場所、化学消臭材などの室内外の大気、さらには都会のビルから排出される場所の空気などを測定比較した。その結果、表１に示したように人間が緑豊かな森林浴や滝のそばに発生するすがすがしい空気、海辺と高原の空気を求める理由は酸化還元電位における還元有意に作用していることが判明したのである。生命維持に欠かせない空気の酸化還元反応を確認し、健康保持に安全な良質の空気を摂取するために、早い対応がとれるようにすることを目的とした空気の酸化還元電位を計測する装置および測定方法である。【選択図】図１
2013127455.tif 000002
【特許請求の範囲】
【請求項１】
大気（すなわち空気）の中に存在する水蒸気（水分）の酸化体と還元体との活性比率を測定し少なくとも参照電極と指示電極を設け、指示電極に接する試料溶液である気体の状態で存在する水蒸気（水分）および空気中の主要成分である窒素、酸素、アルゴン、二酸化炭素その他の微量の元素等に含まれるこれら複合物質の酸化還元電位を総合的に演算して空気の酸化還元電位を計測する装置。
【請求項２】
大気（すなわち空気）の酸化還元電位測定に用いる多孔質ポリマーおよび綿、絹織り布、綿花布、織布、スポンジ等は酸化しないように真空パックに密閉保管され、測定対象とする場所の空気を測定するときに開封して使用することを特徴とする空気の酸化還元電位測定に用いる多孔性物質。
【請求項３】
基準電極となる参照電極に導通するＫＣＬ溶液に導く細溝導線の液接触部に接触する試料溶液に対して丸棒、球体、平板など形状は問わない不活性な保持部を構成する多孔質ポリマーおよび、綿、絹織り布、綿花布、織布、スポンジ等の多孔性物質は測定時において純水を含ませ、指示電極である白金電極に接触することにより大気中の酸化還元電位が測定されることを特徴とする請求項１又は２に記載の空気の酸化還元電位を計測する装置。
【請求項４】
１回目の酸化還元電位を測定した後、純水を含浸させた綿棒及び白金電極はそのままにしておき測定対象とする場所の空気を１回目に測定した多孔性物質に所定時間送風流動し、２回目の酸化還元電位を測定した後で１回目の測定と２回目の測定を総合的に演算した電位差で測定対象場所の酸化還元電位を測定することを特徴とする請求項１、２又は３に記載の空気の酸化還元電位を計測する装置を利用した測定方法。
【請求項５】
１回目の酸化還元電位を測定した後、純水を含浸させた綿棒及び白金電極はそのままにしておき測定対象とする場所の空気を１回目に測定した多孔性物質に所定時間送風流動し、２回目の酸化還元電位を測定した後で１回目の測定で得られた酸化還元電位よりさらにプラス方向にｍＶ電位が加算された測定電位の場合は、その電位差を酸化度の数値として、若しくは１回目の測定で得られた酸化還元電位より、さらにマイナス方向にｍＶ電位が加算された測定電位の場合は、その電位差を還元度の数値として計測表示とすることを特徴とする請求項１、２、３又は４に記載の空気の酸化還元電位を計測する装置を利用した測定方法。
【請求項６】
精製水（純水）を含浸させた多孔性物質ならびに指示電極である白金棒を１回目の測定後、配置部にセットしたままにして測定対象とする場所の大気（すなわち空気）を所定時間送風流動することで、当該多孔性物質に吸着した化学物質の酸化還元反応が安定して対極する２極の基準電極および指示電極へのマイナスとプラスの電子導通の情報が双方に平衡状態になる所定時間ならびに１回目測定から２回目の測定は５分〜至る２０分以内で当該多孔性物質に吸着した化学物質の酸化還元反応が安定して動かない状態となることを突き止め１回目の測定から２回目の測定開始時間を自動及び任意設定できるようにし、任意設定を解除した場合は自動的に１回目の測定から２回目の測定を開始することを特徴とする請求項１、２、３、４又は５に記載の空気の酸化還元電位を計測する装置を利用した測定方法。
【請求項７】
室内外の空気中に含まれる湿度すなわち、住まいやオフィス、工場および乗り物内、電車、車、飛行機、船舶（遊覧用も含めた潜水艇）、水族館など各種乗り物内および隔絶された地下空間の室内の空気中に含まれる多孔性物質に吸着した化学物質の酸化還元反応を捉え、空気中に存在する酸化体と還元体との質量比率を捉え参照電極と指示電極を設け、指示電極に接する試料溶液である気体の状態で存在する微量の水蒸気（水分）により、空気の酸化還元電位値を確認することに用いることを特徴とする請求項１、２、３、４、５又は６に記載の空気の酸化還元電位を計測する装置を利用した測定方法。
【請求項８】
空気中の酸化還元電位の結果が数字並びに酸化還元領域が液晶表示、又は音声、点字表示又はプリント点字されることを特徴とする請求項１、２、３、４、５、６又は７に記載の空気の酸化還元電位を計測する装置を利用した測定方法。
【請求項９】
多孔性物質の部位に測定対象とする場所の大気（すなわち空気）を所定時間送風流動するためのファンを装備したことを特徴とする請求項１、２、３、４、５、６、７又は８に記載の空気の酸化還元電位を計測する装置を利用した測定方法。
【請求項１０】
不活性な保持部を構成する多孔質ポリマーおよび綿、絹織り布、綿花布、織布、スポンジ等の多孔性物質によって測定場所の空気の流動流体中の化学物質を吸着させる素材は、あらかじめ純水を含ませ真空パックに収納しておき、測定対象とする場所の空気を測定するときに開封して使用することを特徴とする請求項１、２、３、４、５又は６に記載の空気の酸化還元電位を計測する装置を利用した測定方法。
【請求項１１】
大気（すなわち空気）の酸化還元電位測定に用いる多孔質ポリマーおよび綿、絹織り布、綿花布、織布、スポンジ等は、あらかじめ純水を含ませ酸化しないように１本ずつ若しくは複数本の真空パックで密閉保管され、測定対象とする場所の空気を測定するときに開封して使用する多孔性物質であることを特徴とする請求項２、３又は９に記載の空気の酸化還元電位を計測する装置を利用した測定方法。
【請求項１２】
大気（すなわち空気）の酸化還元電位測定に用いる多孔質ポリマーおよび綿、絹織り布、綿花布、織布、スポンジ等の形状は円筒、円錐、四角、多角形、棒状、平たい等にこだわらない多孔性物質であることを特徴とする請求項２、３、１０又は１に記載の空気の酸化還元電位を計測する装置を利用した測定方法。
【発明の詳細な説明】
【技術】
【０００１】本発明は大気（すなわち空気中）に含まれる湿度を捉え、気体の中に存在する水蒸気（水分）の酸化体と還元体との活量比率を測定し、少なくとも参照電極と指示電極を設け、指示電極に当接する試料溶液である気体の状態で存在する水蒸気（水分）により、空気中の酸化還元電位値を確認することに用いることを特徴とする空気の酸化還元電位測定装置に関する。
【０００２】本発明における酸化還元電位測定装置は、従来の酸化還元電位測定装置は工業用の水質検査の経時変化の測定や人間の唾液測定とは異なり、空気中の主要成分である窒素、酸素、アルゴン、二酸化炭素その他の微量の元素等を含む複合物質の混合電位を総合演算して酸化還元電位測定することを主眼とした空気の酸化還元電位測定装置である。
【背景技術】
【０００３】導電性物質を指示電極とし、指示電極と溶液との界面に生ずる電位、電流を測定する電気化学的な測定装置に、例えば、酸化還元電位測定装置がある。酸化還元電位測定装置は、金属などの導電性物質の指示電極と参照電極とを備え、指示電極に溶液を接触させ、溶液中の電解質の濃度や酸化体・還元体のイオン濃度比などを測定する。すなわち酸化体と還元体を含む溶液に対して、この溶液に侵されない白金などの電極を浸すとその電極は溶液に対して電位を持って平衡に達する。この電位を酸化還元電位という。
酸化体をＯｘ，還元体をＲｅｄとすると酸化還元反応は
2013127455.tif 000003
であり、酸化還元電位Ｅは次のネルンストの式で示される。
Ｅ＝Ｅｏ＋ｎＦ−ＲＴ  １ｎ  ［Ｒｅｄ］  ［Ｏｘ］
ここに、Ｅｏ：標準酸化還元電位（［Ｏｘ］＝［Ｒｅｄ］）のときのＥで、系に固有の  値）
Ｒ：ガス定数Ｔ：絶対温度Ｆ：ファラデー定数
ｎ：反応に関与する電子数
［］：濃度（活量）【０００４】しかし従来の酸化還元電位測定装置は主に、工業用の水質検査の経時変化の測定や人間の唾液測定があるが、空気中の主要成分の総合的な酸化還元電位測定は、大気中の水蒸気濃度となる水分溶液などの披検液が極小の乾燥状態の大気では千分の１ｍＶを要求する酸化還元電位測定は困難な領域とされていたのである。【０００５】街中の道路、河川や湖沼、底泥など土壌においても溶存酸素が減少し、嫌気状態になり、リン、鉄、マンガンなどが底泥より溶出し、水環境が汚染されてきている。これらの状態の泥の直上の水質は、溶存酸素（ＤＯ）水中に溶解している酸素量も結合性の酸素（ＮＯＸ−のＯ）より多くの酸素を結合させるものもない状態であり、無酸素状態に近いか、あるいはその状態で溶存酸素がなく、亜硝酸、硝酸の中の酸素だけが存在する。すなわち人間が生きていける環境下ではないことを意味するのである。【０００６】人間が生きていく上で利用可能な酸素分子が存在している好気状態であることが重要で、土壌や水質のみならず空気が酸化体と還元体の活量が自然摂理に基づいて混在することが望ましいのである。このような実情をふまえ、空気の酸化還元電位値をリアルタイムに確認できる酸化還元測定装置および方法に着眼したのである。【０００７】従来には、工業用の水質検査の経時変化の測定や人間の唾液測定があるが、測定対象が水および生体唾液などの披検液であり、水と同じく生命維持に欠かせない空気が複合的な要因で汚染されてきている実情がある。例えば（特許文献１参照）酸化還元電位測定装置および方法は、人間などの体内の唾液成分などの生体液を対象としている。また、（特許文献２参照）汚水処理装置においては酸化槽中の酸化還元電位を測定する酸化還元電位計を提供したものである。【０００８】これら特許文献には、生命維持に絶対必要な空気が酸化有意か還元有意なのかを測定する意識は盛りこめられていないことから、本発明とは技術的意義を全く異にする。
【特許文献１】  特許第４１５４８８４号
【特許文献２】  特許第３０６７２４１号
【０００９】今日、様々な複合的な要因において大気汚染が深刻な問題となっている中で、新鮮で体に良い空気への関心が高まり、森林浴ならびに滝のそばに発生するすがすがしい空気を取り込みたいと森や滝の流水を求め自然豊富な場所を訪れる人々が増えている。【００１０】過去において保育器内でアイマスクをしないで人口の酸素を大量に用いたことにより未熟児網膜症という視力障害が起きたことは周知のことである。このことに象徴されるように、生命維持に欠かせない空気の取り入れ、すなわち酸素欠乏や自然素材の空気ではなく人工的な大量の酸素吸入によって、さまざまな機能障害の引き金になると懸念されているが、近年、生きる上で欠かすことの出来ない空気が、ホコリによる空気汚染、化学物質による空気汚染、ダニなどの死骸、鶏糞などによる空気が汚染され樹木豊かな森林環境下における清新な空気を人間および動物が摂取することが難しい環境になってきているのである。
【発明の概要】
【発明が解決しようする課題】
【００１１】従来にある酸化還元電位測定装置とは異なり、空気中の主要成分である窒素、酸素、アルゴン、その他の微量の元素等含む複合物質の混合電位を総合演算して酸化還元電位測定をしようとするものである。空気の化学物質を吸着する吸着材が不活性な保持部を構成する多孔質ポリマーおよび多孔性物質である天然麻、綿、絹織り布、綿花布、織布、スポンジ等を用いる理由は、導電性を帯びる金属素材では電位差を求めるために２極の電極に電子授受導通ではなく、直接に電流導通が生じ測定はできないのである。
【課題を解決するための手段】
【００１２】本発明は空気中の流動流体中の化学物質を捉え、酸化還元電位を測定する手段として指示電極の白金から基準電極となる参照電極に導通するＫＣＬ溶液に導く細溝導線の液落部に接触する試料溶液に対して不活性な保持部を構成する多孔質ポリマーもしくは天然麻、綿、絹織り布、綿花布、織布、スポンジ等の多孔性物質は精製水（純水）を含浸し、流動流体中の化学物質を捉え、指示電極である白金電極に接触することにより１回目の酸化還元電位を測定した後、つづいて測定対象とする場所の大気（すなわち空気）を１回目に測定した多孔性物質の部位に所定時間送風流動したのち２回目の酸化還元電位測定を演算し１回目と２回目の電位差により最終的に空気中の酸化還元電位が測定されることを特徴とする。多孔質ポリマーおよび多孔性物質素材を精製水（純水）であらかじめ含浸させ真空パックで１本ずつ包装されたものを使用又は、測定時に精製水（純水）を多孔質ポリマーおよび多孔性物質素材に含浸させる方法は限定しない。
【００１３】空気中の主要成分である体積比％窒素は約７８．１％、酸素は約２０．９６８％、アルゴンは約０．９％、二酸化炭素は約０．０３２％であり、酸素は空気中の主要成分の総体の体積比を１００％とすると約２１％である。この酸素濃度が１６％以下になり３分以上酸素吸入が途絶えると生命維持が危険になり、何とか生命を維持できたとしても重篤な後遺症が残る原因になることは医学的にも周知されているのである。
【００１４】生体の代謝は食物から取り入れた栄養素を体内で使える形にしたりする生体活動ですが、酸素が十分にあることで代謝は、より活発にスムーズに行なわれるのである。すなわち酸素は代謝に不可欠なものなのであるが、身近な場所の酸素濃度は、街中や森林では約２１％、通常の車中では約１９．２％、換気ができている場所では約２１％、窓を閉め冷暖房をつけて１０分後には約２０．３％、さらにその部屋で３人が１時間過ごすと酸素濃度は約１８．０％に減少するなど、今日における住環境は機密性が高いことで酸素不足におちいりやすいのである。
【００１５】しかしながら、酸素濃度ばかりに注意していても、空気中の主要成分である窒素、酸素、アルゴン、二酸化炭素その他の微量元素を含む酸化還元電位という総合指標において総合演算した結果として酸化数値が高ければ、酸素濃度の有無にかかわらず生体内は体調不良を訴えることにつながる恐れが出てくるのである。
【００１６】本発明では大気中に含まれる複合物質は、酸化還元反応をもたらす点に着目し、これら化学物質である、硫黄化合物、窒素化合物、炭水化物、ハロゲン化物、オゾン、粒子状物質、有害物質、さらには大気中の光化学における対流圏（地表から１４キロメートル至る１５キロメートル内外）および成層圏（地表より１０キロメートル至る５０キロメートル領域）において成層圏のオゾンは減少しているが対流圏のオゾンは増加していることは、近年の研究発表で周知されている。対流圏のオゾン濃度が高濃度になると、人体への影響があるのも周知されている。近年、人類の科学文明の進化が地球環境に深刻なダメージをもたらし、複合的な環境汚染を引き起こしていると言われている。
【００１７】すなわち、本発明は人間が生活する地表圏における放射性物質による大気汚染やホコリによる空気汚染、化学物質による空気汚染、ダニなどの死骸、鶏糞などによる空気が汚染される状態は、大気中（すなわち空気中）とは一体であることから空気中の成分それぞれの体積比％の割合のバランスが崩れたりすることで地上近くの空気中の酸化還元反応の重要性に着眼したのである。
【００１８】本発明は、多孔質ポリマーおよび綿、絹織り布、綿花布、織布、スポンジ等を用い緩衝能が低い純水の酸化影響を受けやすい性質を利用することに気づいたのである。
【００１９】多孔質の素材の利用は、空気を測定しようとする対象場所において多孔質の素材に精製水（純水）を含浸させる手段と多孔質の素材にあらかじめ純水を含ませ酸化しないように１本ずつ若しくは複数の本数で真空パックで密閉保管され測定対象とする場所の空気を測定するようにしたのである。
【００２０】そこで、本発明の空気の酸化還元電位測定装置および方法によって、緑豊かな森林浴や滝のそばに発生するすがすがしい空気、海辺と高原の大気。そして化学薬品で汚染されているシックハウスやオフィスビル内、二酸化炭素（ＣＯ２）を排出する混雑状態の自動車走行箇所、化学消臭材などの室内外の大気、さらには都会のビルから排出される空調箇所の大気などを測定比較したことにより、生命維持に欠かせない空気の酸化還元反応を確認し、早期の対応に役立てるようにすることを目的としたのである。
【実施例】
【００２１】以下、本発明の空気中の酸化還元電位測定装置および方法を実施するための最良の形態について説明する。図１フローチャートにおいて本発明の空気の酸化還元電位想定装置に内臓のＣＰＵを要する基板１である。酸化還元電位測定装置で対極する基準電極となるＫＣＬ溶液に浸した銀−塩化銀電極は２、空気の流動流体中の化学物質を吸着する多孔性物質である多孔質ポリマーおよび天然麻、綿、絹織り布、綿花布、織布、スポンジ等を含む３に純水４を含浸させ、化学物質を吸着する多孔質３に接触する不活性金属の指示電極５である。【００２２】しかるに本発明の空気の酸化還元電位測定装置における測定結果の動作システムについて図２において説明する。空気の流動流体中の化学物質を吸着する吸着材に用いる多孔性物質である多孔質ポリマーおよび天然麻、綿、絹織り布、綿花布、織布、スポンジ等３の多孔性物質には大気中の化学物質の吸着を高めるために丸い空洞穴を複数設け精製水（純水）４を含浸させ１回目の酸化還元電位を測定６したのち、つづいて測定対象とする場所の大気（すなわち空気）を１回目に測定した多孔性物質の部位３に所定時間（任意設定可能）送風流動するファン装置７を稼動し空気の流動流体中の化学物質を吸着させ送風稼動を停止した後、２回目の酸化還元電位を測定８したのち。１回目と２回目の測定を総合的に演算した電位差により最終的に測定対象場所の空気中の酸化還元電位の結果９が表示され、測定結果の表示方法１０は、数字で液晶表示、又は音声、点字表示（プリント点字含む）表示される。【００２３】さらに左側面からの断面図の図３について説明する。内部液を格納する液槽１６には、例えば、塩化カリウム溶液１７が収納されている。基準電極である２のリード線１１を介して電位差計２４が連結されている。ガラスやカーボンなどの不活性素材からなる筒部１８内にリード線１１に通じた銀線１５を配設するとともに銀線１５を取り囲む銀粉１９が格納する内部液の液槽内に流出しないようにコットン２０を詰め込み、細溝１４に通じている。空気中の化学物質を吸着する多孔性物質３は、より吸着を高めるための複数の丸い空洞穴２２を設けている。多孔性物質である保持部３を配置部２１に設置する。多孔性物質である白金棒を差込む縦筒穴２３に指示電極５である白金棒１２が差込まれた保持部３が液絡部１３に接触すると、試料溶液は基準電極２に対する指示電極５の電位がリード線１１を通じて電位差計２４で測定される。【００２４】つづいて平面図４について説明する。内部液を格納する液槽１６および基準電極２のリード線１１であり、リード線１１を介して銀線１５を配設される。細溝１４を通じて液絡部１３に多孔性物質である保持部３が接触するとともに、多孔性物質である保持部３の多孔性物質に設けられている縦筒穴２３に白金棒１２を差込むことで試料溶液は基準電極２に対する指示電極５の電位がリード１１を通じて電位差計２４で測定される。
１回目の測定後、指示電極５および白金棒１２と多孔性物質の部位３をそのままにしておき所定時間（任意設定可能）送風流動するファン装置７を稼動し矢印方向に空気の流動流体２５を発生させ大気中の化学物質を多孔性物質３に適正時間吸着させ送風稼動を停止した後、２回目の酸化還元電位を測定したのち、１回目と２回目の測定を総合的に演算した電位差によって最終的に測定対象場所の空気中の酸化還元電位の結果９が表示される。測定結果の表示方法１０は、数字で液晶表示、又は音声、点字表示（プリント点字含む）。【００２５】なお、左側面からの断面図の図５について説明する。本発明は、上記の図３、４に限定されず、溶液測定に於いてつぎなる構成の指示電極にも対応できる。配置部２１に指示電極５である白金棒１２を差込み配置部２１の底部をボンド接着させ封鎖２６したものである。なお、配置部２１の中面に指示電極５である白金棒１２を差込みボンド接着させ封鎖する２６箇所は底部に限定されない。内部液を格納する液槽１６には、例えば、塩化カリウム溶液１７が収納されている。基準電極である２のリード線１１を介して電位差計２４が連結されている。ガラスやカーボンなどの不活性素材からなる筒部１８内にリード線１１に通じた銀線１５を配設するとともに銀線１５を取り囲む銀粉１９が格納する内部液の液槽内に流出しないようにコットン２０を詰め込み、細溝１４に通じている。空気中の化学物質を吸着する多孔性物質３は、より吸着を高めるための複数の丸い空洞穴２２を設けている。多孔性物質である保持部３を配置部２１に設置し液絡部１３に多孔性物質である保持部３が接触すると試料溶液は基準電極２に対する指示電極５の電位がリード線１１を通じて電位差計２４で測定される。【００２６】本発明は、同じ測定場所における空気の酸化還元電位を経時変化としてビフォーアフター確認することを可能にしたのである。【００２７】すなわち１回目の測定で得られた酸化還元電位よりさらにプラス方向にｍＶ電位が加算された測定電位の場合は、その電位差を酸化度の数値として、若しくは１回目の測定で得られた酸化還元電位より、さらにマイナス方向にｍＶ電位が加算された測定電位の場合は、その電位差を還元度の数値として計測表示できるのである。【００２８】化学分野においては化学物質を蓄積するための吸着材は周知であり、それぞれ、化学物質を蓄積するために吸着する（ひいてはその化学物質を蓄積する）物質に相当する。【００２９】空気の流動流体中の化学物質を吸着する吸着剤に用いる多孔性物質である多孔質ポリマーおよび天然麻、綿、絹織り布、綿花布、織布、スポンジナ等に含浸させる溶液は精製水（純水）が必須である。なぜなら、精製水（純水）以外の溶液はいろいろな混合物によりそれぞれの固有の酸化還元反応により酸化還元電位の再現精度を妨げることになる。精製水（純水）のように緩衝能が極めて低い溶液を本発明に用いる多孔性物質に含浸させることで１回目の測定から所定の時間、当該多孔性物質に送風流動することで測定対象場所の大気の化学物質の酸化若しくは還元影響を素早く受け吸着させることができる。よって、１回目と２回目の測定を総合的に演算した電位差により最終的に測定対象場所の空気中の酸化還元電位の結果が得られることに着眼し実施したのである。【００３０】有意性を確認するため、本発明の空気の酸化還元電位を計測する装置を用いて、それぞれの測定場所と条件、１回目の測定、１回目の測定から所定の時間、当該多孔性物質に送風流動させた後で当該多孔性物質に吸着した化学物質の酸化還元反応が安定して数値変動がなくなった２回目の測定結果を表［１］に示す。【００３１】
【表１】
2013127455.tif 000004
【００３２】本発明の測定結果は表１で示されたように、測定場所における空気の酸化還元電位の経時変化ならびに、当該多孔性物質である綿棒に純水を用いた含浸により、所定時間送風流動させ吸着した化学物質の酸化還元反応が安定する時間を突き止めたことで、乾燥した空気の測定場所においても酸化還元電位測定できることを証明するものである。【００３３】精製水（純水）は、製造メーカー及び製造月日により酸化還元電位値に多少の値差はあるが、そのときに開封した精製水（純水）を含ませた綿棒若しくは溶液の１回目の測定結果と照らし合わせて、引き続いて行う２回目の測定によって酸化度と還元度は計測できることであり、さらには５分〜至る２０分経過後における酸化還元反応が動かなく安定した時間帯を突き止めた状態での測定結果となることで精製水（純水）溶液を介して電子導通の授受交換が可能となり、測定場所の空気の酸化還元電位を測定することを可能にしたのである。【００３４】表１に示されたとおり、▲１▼の測定における人がいない密閉された室内では酸化還元電位の電位差はわずかですが▲２▼の測定における密閉された室内に人が混雑し人間が呼吸をしている室内の酸素濃度が減少した酸化還元電位はプラスの酸化方向に作用していることが確認され、▲３▼の測定における換気で外気の酸素を室内に取り入れた状態での室内の酸化還元電位はマイナスの還元方向に作用していくことがわかる。【００３５】一方、▲４▼及び▲５▼ならびに▲６▼測定における酸化還元電位はプラスの酸化方向に作用し、▲７▼及び▲８▼ならびに▲９▼の測定場所における酸化還元電位はマイナスの還元方向に作用していることが、本発明の空気の酸化還元電位を計測する装置で確認できたのである。
【発明の効果】
【００３６】本発明では基準電極となる参照電極はＫＣＬ溶液に浸している。すでに公知されているＫＣＬ溶液をゲル状にしたものや、水銀をペースト状に混合したカロメル電極。水素ガス電極等があるが、化学分析等の専門家以外が使用する際の安全面で問題が起こるのをさけるため用いていない。
【００３７】産業分野で用いられる極めて純度の高い超純水の使用はしない。なぜなら、超純水になるほどあらゆる物質を微量に酸化させ溶解する能力が高いため、多孔性物質を超純水で含浸させて密閉保管し使用する際に保管容器を溶解することがあってはならない、大気（すなわち空気）の酸化還元反応を捉える前に当該発明の測定装置に用いる多孔性物質や多孔性物質を配置する素材を微量に酸化させ（あるいはその恐れがある）空気中の酸化還元電位測定値の再現精度を低下させてはならない。
【００３８】本発明の空気中の酸化還元電に（ＯＲＰ）の測定方法は、所定時間送風流動するファン装備によって精製水（純水）を含浸させた多孔性物質ならびに指示電極である白金棒を１回目の測定後、配置部にセットしたままにして測定対象とする場所の大気（すなわち空気）を所定時間送風流動することで、当該多孔性物質に吸着した化学物質の酸化還元反応が安定して対極する２極の基準電極および指示電極ページへのマイナスとプラスの電子導通の情報が双方に平衡状態になる所定時間ならびに１回目測定から２回目の測定は５分〜至る２０分以内で当該多孔性物質に吸着した化学物質の酸化還元反応が安定して動かない状態となることを突き止め１回目の測定から２回目の測定開始時間を自動及び任意設定できるようにし、任意設定を解除した場合は自動的に２回目の測定を開始できる継続測定とすることで、乾燥地帯における空気中の酸化還元電位測定も１回目と２回目の電位差によって最終的に空気中の酸化還元電位測定ができるようにしたのである。
【００３９】本発明の空気の酸化還元電位測定装置および使用方法においては、ＰＨ計のように、単一の水素イオンによる反応電位だけを測定対象にしているのではなく、酸化還元電位（ＯＲＰ）は、空気中の全てのイオンや分子などのそれぞれの反応エネルギーの加重平均として表れた複合物質の混合電位を対象とするのである。従って、空気中に存在する水蒸気（水分）および空気中の主要成分である窒素、酸素、アルゴン、二酸化炭素その他の微量の元素等に含まれる酸化体と還元体との活量比率を測定し、これら複合物質の混合電位を総合演算して酸化還元電位測定することを主眼とした空気中の酸化還元電位測定装置および使用方法である。
【００４０】日本では大震災後において、今日ほど、人間はお互いを助け合い介護しあう必要性が求められる。本発明では、視覚ならびに聴覚において不自由をされている場合においても酸化還元電位の測定結果を液晶画面で数値表示するだけでなく音声又は点字表示（プリント点字含む）で酸化還元電位測定結果を確認ができるようにする。
【００４１】本発明の空気中の酸化還元電位測定装置の利用において、室内などにおいては空気の流動が隔絶された環境で循環されているので住まいやオフィス、工場および乗り物内、電車、車、飛行機（宇宙船内も含む）、船舶（遊覧用も含めた潜水艇）、水族館など隔絶された各種乗り物内および地下空間の空気中の酸化還元電位値を確認することで、体調状態を維持する上で大いに資すると考える。
【図面の簡単な説明】
【００４２】
【図１】本発明の酸化還元電位測定装置のフローチャート。
【図２】本発明を構成する多孔質ポリマーおよび多孔性物質で空気中の流動流体中の化学物質を捉え、酸化還元電位測定のフローチャート。
【図３】本発明の酸化還元電位測定装置における左側面の断面図。
【図４】本発明の酸化還元電位測定装置における平面図。
【図５】本発明の酸化還元電位測定装置における底部をボンド接着させ封鎖した左側面の断面図。
【符号の説明】
【００４３】１  ＣＰＵ基板
２  基準電極のＫＣＬ溶液に浸した銀−塩化銀電極
３  多孔性物質吸着素材（多孔質ポリマーおよび多孔性物質である天然麻、綿、絹織り布、綿花布、織布、スポンジ等を含む吸着素材）
４  多孔性物質に精製水（純水）を含浸
５  指示電極
６  １回目測定
７  多孔性物質吸着素材に大気を送風流動させるファン装置
８  ２回目測定
９  １回目と２回目の測定を総合的に演算した電位差を測定
１０  数字で液晶表示又は音声、点字でプリント表示
１１  リード線
１２  白金棒
１３  液絡部
１４  ＫＣＬ溶液導通の細溝
１５  基準電極の銀線
１６  内部液を格納する液槽
１７  塩化カリウム
１８  ガラスやカーボン等の不活性素材からなる筒部
１９  銀線を包み込む銀粉
２０  コットン
２１  多孔性物質配置部
２２  吸着を高めるための丸い空洞穴
２３  多孔性物質に白金棒を差込む縦筒穴
２４  電位差計
２５  送風流動の流れ
２６  指示電極差込み配置部の底部をボンド接着させ封鎖
【図１】
2013127455.tif 000005
【図２】
2013127455.tif 000006
【図３】
2013127455.tif 000007
【図４】
2013127455.tif 000008
【図５】
2013127455.tif 000009